(57)【特許請求の範囲】
【請求項１】
吸込口と電気掃除機用吸込口体の長手方向に延びる塵埃通路とを有した下部ケースと、前記塵埃通路の前方もしくは後方の少なくとも一方に取り付けられた滑り性の良い緩衝材と、前記塵埃通路を介して対向する下部ケースに向かって突き出すように前記下部ケースに設けられ前記緩衝材を支持すると共に、電気掃除機用吸込口体の長手方向に沿った幅寸法が前記緩衝材のそれと略同一で且つ底面は前記下部ケースの底面と略面一で且つ天面は前記塵埃通路を介して対向する下部ケースに向かって略斜め下に傾斜する緩衝材支持部とを備え、前記緩衝材支持部の端部を前記塵埃通路の内側に臨ませた電気掃除機用吸込口体。
【請求項２】
塵埃通路と電気掃除機用吸込口体の後部に配された接続パイプの内側とを連通する吸引孔を設け、前記吸引孔を塵埃通路の内側に臨ませた緩衝材支持部の端部の略上方で、且つ前記下部ケースの塵埃通路を構成する略凹状の壁面の内、床と対向する略天面に配した請求項１記載の電気掃除機用吸込口体。
【請求項３】
塵埃吸引用の電動送風機と、塵埃を捕集する集塵室と、請求項１または２記載の電気掃除機用吸込口体に連通するように接続される接続口を設けた電気掃除機。
【発明の詳細な説明】
【０００１】
【発明の属する技術分野】
本発明は、電気掃除機用吸込口体及びそれを用いた電気掃除機に関するものである。
【０００２】
【従来の技術】
以下に従来の電気掃除機用吸込口体の構成を図９〜図１４を用いて説明する。
【０００３】
まず、電気掃除機の全体構成を図９を用いて説明すると、吸込口体３０には後述の接続パイプ３１を介して延長管３２が接続され、延長管３２の他端には手元操作部３３が接続され、手元操作部３３の後方にはホース３４が接続され、ホース３４の他端には電気掃除機本体３５が接続されている。
【０００４】
吸込口体３０は上部ケース３６と下部ケース３７とから形成されており、下部ケース３
７には吸込口体３０の長手方向に延びる塵埃通路３８と連通する吸込口３９及び回転自在に装着された回転ローラー４０を配しており、上部ケース３６には壁面等と吸込口体３０との衝突時の衝突を和らげるためゴム状の材質で形成された軟質材４１を下部ケース３７に一体で２材質成形している。吸込口体３０の後部には吸込口３９と連通した接続パイプ３１を配している。塵埃通路３８の前方に位置する下部ケース３７の底面４２には後述の取付部品４３を取り付ける枠状の取付部４４を有し、塵埃通路３８の前壁は取付部４４の後端と略同一直線上に形成されていた。取付部品４３は滑り性の良い緩衝材として起毛布４５を接着した状態で下部ケース３７の取付部４４に着脱自在に固定されている。ここで、下部ケース３７と取付部品４３は図１３に示すように、取付時には取付部品４３に配した爪４６を下部ケース３７の開孔部４７に挿入しながら上方に押すことで爪４６が撓み爪４６と受部４８が当接することで嵌合保持され、取外時には取付部品４３の後端に配した突起４９をドライバー等で下方に押すことで爪４６が内方に撓み取り外しが可能となる。また、上部ケース３６と下部ケース３７は４箇所ビス５０にて締結保持されている。さらに、上部ケース３６には吸気孔５１を、塵埃通路３８には吸気孔５１と連通する吸引孔５２を配している。
【０００５】
上記構成により、掃除作業者は手元操作部３３を持ちながら吸込口体３０を前後左右に動かしつつ掃除作業を行い、吸込口体３０は起毛布４５と回転ローラー４０に支えられながら掃除面上を移動する。ここで、電気掃除機本体３５を運転し吸引作用が働くことで吸気孔５１から吸引孔５２へと気流のバイパスができ、絨毯上において塵埃通路３８の下方が覆われてしまった場合にも吸込口体３０と絨毯との吸着が軽減され掃除作業者が吸込口体３０を動かす操作力が軽減されている。
【０００６】
【発明が解決しようとする課題】
このような従来の電気掃除機用吸込口体では軟質材４１より低い段差部等で吸込口体３０を動かしている場合や階段等で吸込口体３０を一旦持ち上げたりした場合に下部ケース３７の底面４２と前壁５３で形成されるコーナー部５４近傍と段差部等が衝突した際の衝撃がダイレクトに吸込口体３０に加わり吸込口体３０の耐久性に影響を与えたり不快音が発生するケースがあった。
【０００７】
また、塵埃通路３８が取付部４４の後端と略同一直線上に配されていたので起毛布４５の掃除面との耐摩耗性を向上させるため起毛布４５の取付面積を増やそうとすればするほど塵埃通路３８が狭くなり塵埃通路３８の断面積が低下し吸込気流の流速が増大したり吸着圧が増加することで吸込音と操作力が大きくなっていた。一方、塵埃通路３８の断面積を増やそうとすれば下部ケース３７の奥行きが大きくなると同時に吸込口体３０の質量が増え使い勝手が低下してしまっていた。
【０００８】
また、下部ケース３７の前壁５３より軟質材４１が突出しているため、吸込口体３０と壁面等が密着した際にも壁面と床面とで形成される角と下部ケース３７の前壁５３との間のスペースには十分な吸引力がかからずその部分にゴミ残りが発生していたと共に、軟質材４１は緩衝効果を優先させるためゴム状の材質で成形されているので滑り性が悪く壁面に沿った横移動時の操作力も大きかった。
【０００９】
また、毛足の長い絨毯等では絨毯が塵埃通路３８の天面近傍まで入り込み吸引孔５２がほとんどふさがれ操作力が増加してしまっていた。
【００１０】
さらに、上部ケース３６と下部ケース３７とを締結するビス締結部５５はビス５０が下部ケース３７の底面４２より突出しないよう凹状に形成しているため、絨毯上で吸込口体３０を操作する際に絨毯が凹部５６に入り込み操作力が増加してしまっていた。
【００１１】
本発明は、以上のような従来の課題を解決しようとするものであって、使い勝手の良い電気掃除機用吸込口体および電気掃除機を提供することを目的としている。
【００１２】
【課題を解決するための手段】
上記目的を達成するために本発明は、吸込口と電気掃除機用吸込口体の長手方向に延びる塵埃通路とを有した下部ケースと、前記塵埃通路の前方もしくは後方の少なくとも一方に取り付けられた滑り性の良い緩衝材と、前記塵埃通路を介して対向する下部ケースに向かって突き出すように前記下部ケースに設けられ前記緩衝材を支持すると共に、電気掃除機用吸込口体の長手方向に沿った幅寸法が前記緩衝材のそれと略同一で且つ底面は前記下部ケースの底面と略面一で且つ天面は前記塵埃通路を介して対向する下部ケースに向かって略斜め下に傾斜する緩衝材支持部とを備え、前記緩衝材支持部の端部を前記塵埃通路の内側に臨ませたものである。
【００１３】
上記構成により、塵埃通路を確保しつつ緩衝材の取付面積を増やすことで、吸込気流音と操作力を増大させることなく緩衝材の耐摩耗性を向上できると共に絨毯上では緩衝材支持部が絨毯の塵埃通路への入り込みを軽減させ操作力を一層低減できる。
【００１４】
【発明の実施の形態】
本発明の請求項１記載の発明は、吸込口と電気掃除機用吸込口体の長手方向に延びる塵埃通路とを有した下部ケースと、前記塵埃通路の前方もしくは後方の少なくとも一方に取り付けられた滑り性の良い緩衝材と、前記塵埃通路を介して対向する下部ケースに向かって突き出すように前記下部ケースに設けられ前記緩衝材を支持すると共に、電気掃除機用吸込口体の長手方向に沿った幅寸法が前記緩衝材のそれと略同一で且つ底面は前記下部ケースの底面と略面一で且つ天面は前記塵埃通路を介して対向する下部ケースに向かって略斜め下に傾斜する緩衝材支持部とを備え、前記緩衝材支持部の端部を前記塵埃通路の内側に臨ませるもので、塵埃通路を確保しつつ緩衝材の取付面積を増やすことで、吸込気流音と操作力を増大させることなく緩衝材の耐摩耗性を向上できると共に絨毯上では緩衝材支持部が絨毯の塵埃通路への入り込みを軽減させ操作力を一層低減できる。
【００１５】
本発明の請求項２記載の発明は、塵埃通路と電気掃除機用吸込口体の後部に配された接続パイプの内側とを連通する吸引孔を設け、前記吸引孔を塵埃通路の内側に臨ませた緩衝材支持部の端部の略上方で、且つ前記下部ケースの塵埃通路を構成する略凹状の壁面の内、床と対向する略天面に配するもので、緩衝材支持部により毛足の長い絨毯が塵埃通路へ入り込むのを軽減し吸引孔がほとんどふさがれないため操作力の増加を軽減できる。
【００１６】
本発明の請求項３記載の発明は、塵埃吸引用の電動送風機と、塵埃を捕集する集塵室と、請求項１または２記載の電気掃除機用吸込口体に連通するように接続される接続口を設けた電気掃除機とするもので、使い勝手の良い電気掃除機を提供することができる。
【００１７】
【実施例】
（実施例１）
以下本発明の第１の実施例を、図１〜図４を用いて説明する。
【００１８】
吸込口体１は上部ケース２と下部ケース３とから形成されており、下部ケース３には吸込口体１の長手方向に延びると共に吸引孔４を配した塵埃通路５と連通する吸込口６及び回転自在に装着された回転ローラー７を配しており、上部ケース２には吸気孔８を配していると共に壁面等と吸込口体１との衝突時の衝突を和らげるためゴム状の材質で形成された軟質材９を下部ケース３に一体で２材質成形している。上部ケース２と下部ケース３は４箇所ビス１０にて締結保持されている。吸込口体１の後部には吸込口６と連通した接続パイプ１１を配している。下部ケース２の底面１２から前壁１３及び後壁１４にかけては滑り性と拭き掃き性を兼ね備えた材質の緩衝材として起毛布１５を屈曲させて接着により塵埃通路５の前後に取り付けていると共に、各々の起毛布１５の他端は起毛布を塵埃通路５の内側に突出させて取り付けている。ここで、図４に示すように、起毛布１５の前壁及び後壁は軟質材９より突出し、塵埃通路５の前方に取り付けた起毛布１５の前端部が吸込口体１の前端部、塵埃通路５の後方に取り付けた起毛布１５の後端部が吸込口体１の後端部となるように設定している。起毛布取付部１９の上端近傍には上方に向かって塵埃通路５の方向へ傾斜する傾斜部２０を配し、下部ケース３の前壁１３及び後壁１４に沿って上方に延びる起毛布１５の上端部は軟質材９で挟持されるよう傾斜部２０にガイドされながら軟質材９の内側に入り込む構成としている。吸引孔４は塵埃通路５の内側まで突出させた起毛布１５の上方背後に配している。
【００１９】
上記構成により、掃除作業者は手元操作部を持ちながら吸込口体１を前後左右に動かしつつ掃除作業を行い、吸込口体１は起毛布１５と回転ローラー７に支えられながら掃除面上を移動する。ここで、電気掃除機本体を運転し吸引作用が働くことで吸気孔８から吸引孔４へと気流のバイパスができ、絨毯上において塵埃通路５の下方が覆われてしまった場合にも吸込口体１と絨毯との吸着が軽減され掃除作業者が吸込口体１を動かす操作力が軽減されている。
【００２０】
ここで、滑り性の良い起毛布１５により吸込口体１の床面上での摺動に支障をきたすことなく、又下部ケース３の底面１２から前壁１３及び後壁１４を保護しているため段差部等においても吸込口体１への衝突をも軽減することができ吸込口体１の耐久性を向上させると共に不快音の発生をも低減できる。
【００２１】
また、起毛布１５は滑り性に加え拭き掃き性をも兼ね備えた材質であると共に、起毛布１５の前壁及び後壁は軟質材９より突出するように設定しているので、吸込口体１の前端もしくは後端が壁面等と密着しながら吸込口体１を壁面に沿って横方向に移動させたりする際に、壁面と床面とで形成される角まで起毛布１５が密着し塵埃をかき出したり拭き取ることができる。また、吸込口体１と壁面との緩衝効果により吸込口体１の耐久性の向上と不快の低減、壁面に沿った横移動時には壁面を磨く効果に加え、滑り性の良い起毛布１５とすることで移動をスムーズにできる。
【００２２】
また、下部ケース３の前壁１３及び後壁に１４沿って上方に延びる起毛布１５の上端部を軟質材９で挟持する構成を配しているので、衝撃の加わり易い下部ケース３に取り付ける起毛布１５の取付強度をＵＰし、長年の使用においても起毛布１５の外れを防止できる。
【００２３】
又、図８に示すように起毛布１５の両側の上端部を軟質材９で挟持する構成としても同様の効果が得られるのは言うまでもないことである。
【００２４】
また、塵埃通路５の前方に取り付けた起毛布１５の前端部が吸込口体１の前端部、塵埃通路５の後方に取り付けた起毛布１５の後端部が吸込口体１の後端部となるように設定していると共に、起毛布取付部１９の上端近傍に上方に向かって塵埃通路５の方向へ傾斜する傾斜部２０を配しているので、起毛布１５の上端部は軟質材９の内側に入り込むように構成しても、傾斜部２０がガイドとなり挿入性を向上できると共に、起毛布取付部１９の上端近傍に傾斜部２０が無く鉛直な場合と比べ、傾斜部２０の傾斜幅分だけ起毛部１５をより前方もしくはより後方へ突出させることが可能となり、壁面等と起毛布１５のクッション効果ＵＰによる操作感の向上と吸込口体１の耐久性の向上と不快音の低減ができる。
【００２５】
また、起毛布１５を塵埃通路５の内側に入り込む位置まで突出させて取り付けているので、塵埃通路５を確保しつつ起毛布１５の取付面積を増やすことで、吸込気流音と操作力を増大させることなく起毛布１５の耐摩耗性を向上できると共に絨毯上では起毛布支持部２１が絨毯の塵埃通路５への入り込みを軽減させ操作力を一層低減できる。
【００２６】
また、吸引孔４を塵埃通路５の内側まで突出させた起毛布１５の上方に配しているので、起毛布支持部２１により毛足の長い絨毯が塵埃通路５へ入り込むのを軽減し吸引孔４がほとんどふさがれないため操作力の増加を軽減できる。
【００２７】
（実施例２）
以下本発明の第２の実施例を、図５〜図７を用いて説明する。なお、上記第１の実施例と同一構成部品については同一符号を付してその説明を省略する。
【００２８】
起毛布１５は下部ケース３に対して着脱自在な取付部品２２に接着した状態で下部ケース３の底面１２から前壁１３及び後壁１４にかけて屈曲させて取り付けていると共に、取付部品２２を下部ケース３に取り付けた状態では起毛布１５の他端が塵埃通路５の内側に入り込む位置まで突出するよう取付部品２２の大きさを設定しており、塵埃通路５の前壁１３及び後壁１４に当接する突起２３を配している。起毛布１５の前方、後方への突出代は第１の実施例と同様に設定している。取付部品２２の起毛布取付部１９の上端近傍に塵埃通路５側へ傾斜する傾斜部２０を配し、取付部品２２の縦壁２４に沿って上方に延びる取付部品２２及び起毛布１５の上端部は軟質材９で挟持されるよう傾斜部２０にガイドされながら軟質材９の内側に入り込む構成としている。吸引孔４は塵埃通路５の内側まで突出させた取付部品２２の上方背後に配している。上部ケース２と下部ケース３は取付部品２２の内側に配したビス締結部２５にて４箇所ビス１０にて締結保持している。下部ケース３と取付部品２２は図７に示すように、取付時には取付部品２２に配した爪２６を下部ケース３のビス締結部２５の左右に設けた開孔部２７に挿入しながら上方に押すことで爪２６が撓み爪２６と受部２８が当接することで嵌合保持され、取外時には取付部品２２に配した起毛布支持部２１を手で下方に押すことで爪２６が撓み取り外しが可能となる。
【００２９】
上記構成により、第１の実施例と同様の効果に加え、ビス締結部２５を取付部品２２の内側に配しているので、従来ビス締結部２５に存在するビス１０が下部ケース３の底面１２より突出しないよう設けていた凹部２９が下部ケース３の底面１２に露出しなくなるため、絨毯上で吸込口体１を操作する際に絨毯が凹部２９に入り込むことで発生する操作力の増大を防止できる。また、取付部品２２が下部ケース３の取付部品取付部１９を略Ｕ字状に抱え込むことで前後のガタを規制できるため衝撃の加わり易い下部ケース３に取り付ける取付部品の嵌合強度をＵＰでき長年の使用にも耐えることができる。
【００３０】
【発明の効果】
本発明の請求項１記載の発明によれば、塵埃通路を確保しつつ緩衝材の取付面積を増やすことで、吸込気流音と操作力を増大させることなく緩衝材の耐摩耗性を向上できると共に絨毯上では緩衝材支持部が絨毯の塵埃通路への入り込みを軽減させ操作力を一層低減できる。
【００３１】
本発明の請求項２記載の発明によれば、緩衝材支持部により毛足の長い絨毯が塵埃通路へ入り込むのを軽減し吸引孔がほとんどふさがれないため操作力の増加を軽減できる。
【００３２】
本発明の請求項３記載の発明によれば、塵埃吸引用の電動送風機と、塵埃を捕集する集塵室と、請求項１または２記載の電気掃除機用吸込口体に連通するように接続される接続口を設けた電気掃除機とするもので、使い勝手の良い電気掃除機を提供することができる。
【図面の簡単な説明】
【図１】  本発明の第１の実施例を示す電気掃除機用吸込口体の側面図
【図２】  同電気掃除機用吸込口体の下面図
【図３】  同電気掃除機用吸込口体の要部断面図
【図４】  同電気掃除機用吸込口体の起毛布の突出代を説明する図
【図５】  本発明の第２の実施例を示す電気掃除機用吸込口体の下面図
【図６】  同電気掃除機用吸込口体の要部断面図
【図７】  図５のＡ−Ａ断面図
【図８】  他の実施例を示す電気掃除機用吸込口体の側面図
【図９】  従来例を示す電気掃除機の全体図
【図１０】  同電気掃除機の電気掃除機用吸込口体の側面図
【図１１】  同電気掃除機の電気掃除機用吸込口体の下面図
【図１２】  図１１のＢ−Ｂ断面図
【図１３】  図１１のＣ−Ｃ断面図
【図１４】  図１１のＤ−Ｄ断面図
【符号の説明】
３    下部ケース
５    塵埃通路
１２  底面
１３  前壁
１４  後壁
１５  起毛布
【図１】
0004325034.tif 000002
【図２】
0004325034.tif 000003
【図３】
0004325034.tif 000004
【図４】
0004325034.tif 000005
【図５】
0004325034.tif 000006
【図６】
0004325034.tif 000007
【図７】
0004325034.tif 000008
【図８】
0004325034.tif 000009
【図９】
0004325034.tif 000010
【図１０】
0004325034.tif 000011
【図１１】
0004325034.tif 000012
【図１２】
0004325034.tif 000013
【図１３】
0004325034.tif 000014
【図１４】
0004325034.tif 000015